(57)【特許請求の範囲】
【請求項１】
絵画データに予め付加されている、絵画のサイズ及び前記絵画に固有の固有鑑賞距離を取得する取得手段と、
表示装置が表示する前記絵画の表示サイズを管理する表示サイズ管理手段と、
前記取得手段が取得した前記絵画のサイズ及び前記固有鑑賞距離と、前記表示サイズ管理手段が管理する前記絵画の表示サイズとに基づいて、推奨鑑賞距離を算出する算出手段と、
算出された前記推奨鑑賞距離を通知する通知手段とを備え、
前記算出手段は、前記取得手段が取得した前記絵画のサイズ及び前記固有鑑賞距離と、前記表示サイズ管理手段が管理する前記絵画の表示サイズとを用いて、前記絵画のサイズと前記固有鑑賞距離との関係が前記表示サイズと鑑賞距離との関係に等しくなる鑑賞距離を前記推奨鑑賞距離として算出する
ことを特徴とする表示制御装置。
【請求項２】
前記絵画の表示サイズが、前記表示装置の画面サイズである
ことを特徴する請求項１に記載の表示制御装置。
【請求項３】
鑑賞者の前記表示装置前方の可動範囲を管理する可動範囲管理手段と、
前記推奨鑑賞距離が前記可動範囲管理手段が管理する可動範囲内に入っているかを判断する判断手段を備え、
前記表示サイズ管理手段は、
前記判断手段が前記推奨鑑賞距離が前記可動範囲内に入っていないと判断した場合に、前記可動範囲に応じた最大の鑑賞距離を前記通知手段による通知対象の推奨鑑賞距離とし、
前記絵画のサイズと前記固有鑑賞距離との関係が前記通知対象の推奨鑑賞距離と表示サイズとの関係に等しくなる表示サイズを算出し、前記表示装置に前記絵画を前記算出された表示サイズで表示させる
ことを特徴する請求項１または２に記載の表示制御装置。
【請求項４】
絵画データに予め付加されている、絵画のサイズ及び前記絵画に固有の固有鑑賞距離を取得する取得手段と、
表示装置と前記絵画を鑑賞する鑑賞者との間の距離を鑑賞距離として入力する鑑賞距離入力手段と、
前記取得手段が取得した前記絵画のサイズ及び前記固有鑑賞距離と、前記鑑賞距離入力手段が入力した前記鑑賞距離とに基づいて、前記表示装置が表示する前記絵画の表示サイズを算出する算出手段とを備え、
前記算出手段は、前記取得手段が取得した前記絵画のサイズ及び前記固有鑑賞距離と、前記鑑賞距離入力手段が入力した前記鑑賞距離とを用いて、前記絵画のサイズと前記固有鑑賞距離との関係が前記入力された鑑賞距離と表示サイズとの関係に等しくなる表示サイズを算出する
ことを特徴する表示制御装置。
【請求項５】
前記鑑賞距離入力手段は、鑑賞者による操作入力に従って、表示装置と前記絵画を鑑賞する鑑賞者との間の距離を鑑賞距離として入力する
ことを特徴とする請求項４に記載の表示制御装置。
【請求項６】
前記鑑賞距離入力手段は、センサにより表示装置と前記絵画を鑑賞する鑑賞者との間の距離を鑑賞距離として検出し、検出した当該鑑賞距離を入力する
ことを特徴とする請求項４に記載の表示制御装置。
【請求項７】
絵画データに予め付加されている、絵画のサイズ及び前記絵画に固有の固有鑑賞距離を取得する取得工程と、
表示装置が表示する前記絵画の表示サイズを管理する表示サイズ管理工程と、
前記取得工程において取得された前記絵画のサイズ及び前記固有鑑賞距離と、前記表示サイズ管理工程で管理する前記絵画の表示サイズとに基づいて、推奨鑑賞距離を算出する算出工程と、
算出された前記推奨鑑賞距離を通知する通知工程とを有し、
前記算出工程において、前記取得工程で取得された前記絵画のサイズ及び前記固有鑑賞距離と、前記表示サイズ管理工程において管理された前記絵画の表示サイズとを用いて、前記絵画のサイズと前記固有鑑賞距離との関係が前記表示サイズと鑑賞距離との関係に等しくなる鑑賞距離が前記推奨鑑賞距離として算出される
ことを特徴とする表示制御方法。
【請求項８】
前記絵画の表示サイズが、前記表示装置の画面サイズである
ことを特徴する請求項７に記載の表示制御方法。
【請求項９】
鑑賞者の前記表示装置前方の可動範囲を管理する可動範囲管理工程と、
前記推奨鑑賞距離が前記可動範囲管理工程で管理する可動範囲内に入っているかを判断する判断工程を有し、
前記表示サイズ管理工程では、
前記判断工程で前記推奨鑑賞距離が前記可動範囲内に入っていないと判断された場合に、前記可動範囲に応じた最大の鑑賞距離を前記通知工程による通知対象の推奨鑑賞距離とし、
前記絵画のサイズと前記固有鑑賞距離との関係が前記通知対象の推奨鑑賞距離と表示サイズとの関係に等しくなる表示サイズを算出し、前記表示装置に前記絵画を前記算出された表示サイズで表示させる
ことを特徴する請求項７または８に記載の表示制御方法。
【請求項１０】
絵画データに予め付加されている、絵画のサイズ及び前記絵画に固有の固有鑑賞距離を取得する取得工程と、
表示装置と前記絵画を鑑賞する鑑賞者との間の距離を鑑賞距離として入力する鑑賞距離入力工程と、
前記取得工程で取得された前記絵画のサイズ及び前記固有鑑賞距離と、前記鑑賞距離入力工程で入力した前記鑑賞距離とに基づいて、前記表示装置が表示する前記絵画の表示サイズを算出する算出工程とを有し、
前記算出工程において、前記取得工程で取得された前記絵画のサイズ及び前記固有鑑賞距離と、前記鑑賞距離入力工程において入力した前記鑑賞距離とを用いて、前記絵画のサイズと前記固有鑑賞距離との関係が前記入力された鑑賞距離と表示サイズとの関係に等しくなる表示サイズが算出される
ことを特徴する表示制御方法。
【請求項１１】
前記鑑賞距離入力工程では、鑑賞者による操作入力に従って、表示装置と前記絵画を鑑賞する鑑賞者との間の距離を鑑賞距離として入力する
ことを特徴とする請求項１０に記載の表示制御方法。
【請求項１２】
前記鑑賞距離入力工程では、センサにより表示装置と前記絵画を鑑賞する鑑賞者との間の距離を鑑賞距離として検出し、検出した当該鑑賞距離を入力する
ことを特徴とする請求項１０に記載の表示制御方法。
【発明の詳細な説明】
【技術分野】
【０００１】
本発明は、表示制御装置および表示制御方法に関する。
【背景技術】
【０００２】
近年、電子美術館や家庭において、鑑賞者が、デジタル映像化した絵画をディスプレイ等を備えた表示制御装置を用いて鑑賞するケースが増えている。鑑賞者が絵画を表示制御装置を用いて鑑賞する場合、絵画のサイズは作品によって様々である。多くの場合、絵画のサイズはディスプレイのサイズと一致しない。従って、表示制御装置は、絵画データを拡大又は縮小してディスプレイ上に表示することが多い。
【０００３】
一方、絵画は、作者の意図に従った最適な鑑賞距離（最適鑑賞距離）を有する。最適鑑賞距離は、絵画に固有の固有鑑賞距離である。各々の絵画に対応する最適鑑賞距離は、作品によって様々である。鑑賞者が、絵画に対応する最適鑑賞距離から鑑賞しないと、作者の意図したものが見えない場合もある。従って、鑑賞者が、ディスプレイ上で、作者の意図を再現した一番好ましい状態で鑑賞できるようにするために、絵画データに最適鑑賞距離の情報を予め付加することが考えられる。
【０００４】
しかし、ディスプレイ上での絵画鑑賞における最適な鑑賞距離は、作品と表示サイズによって異なるため、ディスプレイの大きさに応じて一意に決まるものではない。また、絵画が切り替わる度に最適な鑑賞距離も変わることになるため、鑑賞者はどの鑑賞距離から鑑賞したら良いかわからないという問題がある。すなわち、ディスプレイ上での絵画鑑賞において、実物の絵画を最適鑑賞距離から鑑賞した状態と同等の状態を再現することが求められる。
【０００５】
特許文献１は、画面サイズと映像の解像度に応じて、視聴制限を行う距離を変化させる映像表示装置を開示している。また、特許文献２は、映像の解像度が切り替わった場合に、解像度の変化量と視聴距離に応じて、映像信号をスケーリングして映像を表示する表示制御装置を開示している。また、特許文献３は、画面サイズに基づいて最適視聴距離を算出すると共に、表示装置に表示させた際に撮像時と同一の視野となる画像サイズを算出し、算出した画像サイズに基づいて撮像画像を切り出して表示装置に出力する画像表示装置を開示している。
【先行技術文献】
【特許文献】
【０００６】
【特許文献１】特開２００８−０４２３５３号公報
【特許文献２】特開２００８−０８５４６１号公報
【特許文献３】特開２００９−１０３９０８号公報
【発明の概要】
【発明が解決しようとする課題】
【０００７】
しかし、上述した特許文献１乃至３が開示するいずれの技術も、絵画のサイズと絵画固有の最適鑑賞距離との関係が表示サイズと鑑賞距離との関係に等しくなる鑑賞距離を算出していない。また、上述した特許文献１乃至３のいずれの技術も、絵画のサイズと最適鑑賞距離との関係が鑑賞距離と表示サイズとの関係に等しくなる表示サイズを算出していない。従って、特許文献１乃至３が開示するいずれの技術によっても、鑑賞者が表示装置上に表示された絵画を鑑賞する場合に、実物の絵画を絵画固有の最適鑑賞距離から鑑賞した場合と同等の見え方で鑑賞することができない。
【０００８】
本発明は、鑑賞者が表示装置上に表示された絵画を鑑賞する場合に、実物の絵画を絵画固有の最適鑑賞距離から鑑賞した場合に近い見え方で鑑賞することを可能とする表示制御装置の提供を目的とする。
【課題を解決するための手段】
【０００９】
本発明の一実施形態の表示制御装置は、絵画データに予め付加されている、絵画のサイズ及び前記絵画に固有の固有鑑賞距離を取得する取得手段と、表示装置が表示する前記絵画の表示サイズを管理する表示サイズ管理手段と、前記取得手段が取得した前記絵画のサイズ及び前記固有鑑賞距離と、前記表示サイズ管理手段が管理する前記絵画の表示サイズとに基づいて、推奨鑑賞距離を算出する算出手段と、算出された前記推奨鑑賞距離を通知する通知手段とを備え、前記算出手段は、前記取得手段が取得した前記絵画のサイズ及び前記固有鑑賞距離と、前記表示サイズ管理手段が管理する前記絵画の表示サイズとを用いて、前記絵画のサイズと前記固有鑑賞距離との関係が前記表示サイズと鑑賞距離との関係に等しくなる鑑賞距離を前記推奨鑑賞距離として算出する。
【発明の効果】
【００１０】
本発明によれば、鑑賞者が表示装置上に表示された絵画を鑑賞する場合に、実物の絵画を絵画固有の最適鑑賞距離から鑑賞した場合に近い見え方で鑑賞することができる。
【図面の簡単な説明】
【００１１】
【図１】実施例１の表示制御装置の構成を示す図である。
【図２】絵画データ記憶部が記憶する絵画データの例を示す図である。
【図３】推奨鑑賞距離の通知方法の例を説明する図である。
【図４】実施例１の表示制御装置の動作処理例である。
【図５】実施例１における推奨鑑賞距離の具体的算出例を示す図である。
【図６】実施例２の表示制御装置の構成を示す図である。
【図７】実施例２における鑑賞距離の具体的算出例を示す図である。
【図８】実施例３の表示制御装置の構成を示す図である。
【図９】実施例４の表示制御装置の構成を示す図である。
【図１０】実施例４の表示制御装置の動作処理例である。
【発明を実施するための形態】
【００１２】
図１は、本発明の実施例１の表示制御装置の構成を示す図である。図１（Ａ）は、表示制御装置１０１の全体構成を示す。表示制御装置１０１は、表示制御部１０２、絵画データ取り込み部１０３、絵画データ管理部１０４、スケーリング処理部１０５、画面サイズ取得部１０６を備える。また、表示制御装置１０１は、表示部１０７、鑑賞距離算出部１０８、鑑賞距離通知部１０９、表示サイズ管理部１１０を備える。
【００１３】
表示制御部１０２は、ユーザ（例えば、鑑賞者）の指示、または予め設定された表示スケジュールに従って、表示する絵画データを決定し、絵画データの表示を制御する。表示制御部１０２は、表示する絵画を選択し、スケーリング処理部１０５に対して、この絵画の表示を指示する。表示制御部１０２は、例えば、表示する絵画を特定する情報（例えば、絵画ＩＤ）をスケーリング処理部１０５に対して通知する。また、表示制御部１０２は、鑑賞距離算出部１０８に対して、表示する絵画を特定する情報（例えば、絵画ＩＤ）を通知し、推奨鑑賞距離の算出を指示する。
【００１４】
絵画データ取り込み部１０３は、絵画データを取り込む。絵画データ取り込み部１０３は、ＵＳＢメモリ等の記憶媒体から絵画データを取り込んでもよいし、絵画サーバ等からネットワーク経由で絵画データを取り込んでもよい。絵画データ管理部１０４は、絵画データ取り込み部１０３が取り込んだ絵画データを管理する。
【００１５】
図１（Ｂ）は、絵画データ管理部の構成例を示す図である。絵画データ管理部１０４は、絵画データ解析部２０１、絵画データ記憶部２０２、描画データ取得部２０３、絵画サイズ取得部２０４、最適鑑賞距離取得部２０５を備える。
【００１６】
絵画データ解析部２０１は、絵画データ取り込み部１０３が取り込んだ絵画データに予め付加されたメタデータの解析を行う。メタデータは、少なくとも当該絵画データに対応する絵画の最適鑑賞距離を含んでいる。最適鑑賞距離は、当該絵画に固有の鑑賞距離（固有鑑賞距離）である。絵画データ解析部２０１は、メタデータの解析後の絵画データ（描画データとメタデータ）を絵画データ記憶部２０２に送信する。絵画データ記憶部２０２は、絵画データ解析部２０１から受け取った絵画データを記憶する。
【００１７】
図２は、絵画データ記憶部が記憶する絵画データの例を示す図である。図２（Ａ）は、絵画の例を示す。また、図２（Ｂ）は、図２（Ａ）に示す絵画に対応する絵画データの例を示す。図２（Ｂ）に示す絵画データは、絵画ＩＤ、作品名、作者名、制作年、絵画サイズ、最適鑑賞距離等を含む。
【００１８】
絵画ＩＤは、絵画データの識別情報である。作品名は、絵画データに対応する絵画の作品名である。制作年は、当該絵画の制作年である。絵画サイズは、当該絵画のサイズ（実物の絵画のサイズ）である。絵画サイズは、横方向の絵画サイズ：ＰＷ（ｃｍ）と、縦方向の絵画サイズ：ＰＨ（ｃｍ）とを有する。最適鑑賞距離：ＢＬ（ｃｍ）は、当該絵画固有の最適な鑑賞距離である。
【００１９】
図１（Ｂ）に戻って、描画データ取得部２０３は、スケーリング処理部１０５からの指示に従って、絵画データ記憶部２０２から、指定された絵画の描画データを取得し、スケーリング処理部１０５に送信する。絵画サイズ取得部２０４は、鑑賞距離算出部１０８からの指示に従って、絵画データ記憶部２０２から、指定された絵画の絵画サイズを取得し、鑑賞距離算出部１０８に送信する。最適鑑賞距離取得部２０５は、鑑賞距離算出部１０８からの指示に従って、絵画データ記憶部２０２から、指定された絵画の最適鑑賞距離を取得し、鑑賞距離算出部１０８に送信する。
【００２０】
図１（Ａ）に戻って、画面サイズ取得部１０６は、表示装置１１１から表示装置１１１の画面サイズを取得する。例えば、画面サイズ取得部１０６は、表示装置１１１からＨＤＭＩ（登録商標）のＥＤＩＤを用いて、画面サイズを自動取得する。ＨＤＭＩ（登録商標）は、Ｈｉｇｈ−Ｄｅｆｉｎｉｔｉｏｎ  Ｍｕｌｔｉｍｅｄｉａ  Ｉｎｔｅｒｆａｃｅの略称である。また、ＥＤＩＤは、Ｅｘｔｅｎｄｅｄ  Ｄｉｓｐｌａｙ  Ｉｄｅｎｔｉｆｉｃａｔｉｏｎ  Ｄａｔａの略称である。画面サイズ取得部１０６が、予め画面サイズを記憶してもよい。画面サイズは、横方向の画面サイズ：ＭＷ（ｃｍ）、縦方向の画面サイズ：ＭＨ（ｃｍ）を有する。
【００２１】
表示サイズ管理部１１０は、絵画データの表示サイズを管理する。具体的には、表示サイズ管理部１１０は、画面サイズ取得部１０６から画面サイズを取得して表示サイズとして管理し、スケーリング処理部１０５に渡す。スケーリング処理部１０５は、表示制御部１０２の指示に従って、絵画データ管理部１０４から絵画の描画データを取得する。また、スケーリング処理部１０５は、表示サイズ管理部１１０から表示装置１１１の画面サイズを取得する。なお、スケーリング処理部１０５が、画面サイズ取得部１０６から直接画面サイズを取得するようにしてもよい。
【００２２】
スケーリング処理部１０５は、取得した画面サイズに合わせて描画データのスケーリング処理を行い、表示部１０７に送信する。表示部１０７は、表示装置１１１に対して描画データの表示を指示し、表示装置１１１が、絵画を表示する。表示装置１１１が、液晶ディスプレイやプラズマディスプレイ等のディスプレイデバイスでもよいし、液晶プロジェクタ等の表示デバイスでもよい。
【００２３】
鑑賞距離算出部１０８は、表示制御部１０２からの指示に従って、絵画データ管理部１０４から、絵画データに予め付加されている絵画サイズと絵画に対応する最適鑑賞距離とを取得する取得手段として機能する。また、鑑賞距離算出部１０８は、表示サイズ取得部１０６から画面サイズを取得する。なお、鑑賞距離算出部１０８が、画面サイズ取得部１０６から直接画面サイズを取得するようにしてもよい。
【００２４】
鑑賞距離算出部１０８は、絵画サイズと最適鑑賞距離と画面サイズとに基づいて、推奨鑑賞距離を算出する。推奨鑑賞距離は、表示装置１１１によって表示される絵画を鑑賞者が鑑賞する時の鑑賞距離（表示装置の表示画面と鑑賞者との間の距離）である。具体的には、鑑賞距離算出部１０８は、絵画サイズと最適鑑賞距離との関係が画面サイズと鑑賞距離との関係に等しくなる鑑賞距離を推奨鑑賞距離として算出する。鑑賞距離通知部１０９は、鑑賞距離算出部１０８が算出した推奨鑑賞距離をユーザに通知する。鑑賞距離通知部１０９が、ユーザに、推奨鑑賞距離に応じた位置を通知するようにしてもよい。
【００２５】
図３は、推奨鑑賞距離の通知方法の例を説明する図である。図３に示す例では、鑑賞距離通知部１０９は、絵画を表示している表示装置１１１から推奨鑑賞距離だけ離れた位置の床面を推奨鑑賞位置としてライト２１で照らす。これにより、ユーザ２０が当該絵画を鑑賞する時に推奨される立ち位置を知ることができる。鑑賞距離通知部１０９が、図３を参照して説明した通知方法以外の任意の通知方法でユーザに推奨鑑賞距離を通知するようにしてもよい。例えば、鑑賞距離通知部１０９が、表示画像や音声で推奨鑑賞距離を表示したり、推奨鑑賞位置まで誘導したりしてもよい。
【００２６】
図４は、実施例１の表示制御装置の動作処理を説明するフローチャートの例である。まず、表示制御部１０２が、表示する絵画を選択して、鑑賞距離算出部１０８に通知する（ステップＳ１）。具体的には、表示制御部１０２は、選択した絵画の絵画ＩＤを鑑賞距離算出部１０８に通知する。
【００２７】
次に、鑑賞距離算出部１０８が、表示サイズ管理部１１０から表示装置１１１の画面サイズを取得する（ステップＳ２）。また、鑑賞距離算出部１０８は、表示制御部１０２から通知された絵画の絵画サイズを絵画データ管理部１０４から取得する（ステップＳ３）。具体的には、鑑賞距離算出部１０８は、通知された絵画の絵画ＩＤに対応する絵画サイズの取得を絵画データ管理部１０４の絵画サイズ取得部２０４に要求する。絵画サイズ取得部２０４は、絵画データ記憶部２０２から上記絵画ＩＤに対応する絵画サイズを取得して、鑑賞距離算出部１０８に渡す。
【００２８】
また、鑑賞距離算出部１０８が、表示制御部１０２から通知された絵画の最適鑑賞距離を絵画データ管理部１０４から取得する（ステップＳ４）。具体的には、鑑賞距離算出部１０８は、通知された絵画の絵画ＩＤに対応する絵画サイズの取得を絵画データ管理部１０４の最適鑑賞距離取得部２０５に要求する。最適鑑賞距離取得部２０５は、絵画データ記憶部２０２から上記絵画ＩＤに対応する最適鑑賞距離を取得して、鑑賞距離算出部１０８に渡す。
【００２９】
次に、鑑賞距離算出部１０８が、ステップＳ２で取得した画面サイズと、ステップＳ３で取得した絵画サイズと、ステップＳ４で取得した絵画の最適鑑賞距離とに基づいて、推奨鑑賞距離を算出する（ステップＳ５）。
【００３０】
ステップＳ５における推奨鑑賞距離の算出例について、以下に具体的に説明する。この例において、横方向の画面サイズをＭＷ、縦方向の画面サイズをＭＨと記述する。また、横方向の絵画サイズをＰＷ、縦方向の絵画サイズをＰＨと記述する。また、最適鑑賞距離をＢＬ、推奨鑑賞距離をＲＬとも記述する。
【００３１】
鑑賞距離算出部１０８は、絵画サイズと最適鑑賞距離の関係（比率）と、画面サイズと推奨鑑賞距離の関係とが同等になるような推奨鑑賞距離を算出する。具体的には、鑑賞距離算出部１０８は、以下の式１に基づいて、推奨鑑賞距離ＲＬを算出する。
ＰＷ：ＢＬ＝ＭＷ：ＲＬ
ＲＬ＝（ＭＷ／ＰＷ）×ＢＬ・・・式１
【００３２】
鑑賞距離算出部１０８は、以下の式２に基づいて、推奨鑑賞距離ＲＬを算出するようにしてもよい。
ＰＨ：ＢＬ＝ＭＨ：ＲＬ
ＲＬ＝（ＭＨ／ＰＨ）×ＢＬ・・・式２
【００３３】
図５は、実施例１における推奨鑑賞距離の具体的算出例を示す図である。図５（Ａ）は、絵画Ａと最適鑑賞距離との関係の例を示す。取得された絵画ＡのＰＷ＝３００（ｃｍ），ＰＨ＝２００（ｃｍ）である。また、取得された絵画Ａの最適鑑賞距離：ＢＬ＝４００（ｃｍ）である。
【００３４】
ここで、取得された横方向の画面サイズ：ＭＷ＝１５０（ｃｍ）、縦方向の画面サイズ：ＭＨ＝１００（ｃｍ）とする。鑑賞距離算出部１０８は、例えば、上述した式２に基づいて、以下のように推奨鑑賞距離ＲＬを算出する。
ＲＬ＝（１００／２００）×４００＝２００（ｃｍ）
【００３５】
図５（Ｂ）は、画面サイズと推奨鑑賞距離ＲＬとの関係の例を示す。絵画Ａを表示する表示装置の横方向の画面サイズＭＷが１５０（ｃｍ）、縦方向の画面サイズがＭＨ＝１００（ｃｍ）である場合、図５（Ａ）を参照して説明したように、推奨鑑賞距離ＲＬは、２００（ｃｍ）である。
【００３６】
本実施例では、スケーリング処理部１０５が、画面サイズが実物の絵画サイズよりも小さい場合に、絵画データを画面サイズに合わせてスケーリング（縮小）する。しかし、画面サイズが絵画サイズよりも大きい場合は、必ずしも画面サイズに合わせてスケーリング（拡大）して表示する必要はない。
【００３７】
例えば、画面サイズが絵画サイズよりも大きい場合、表示サイズ管理部１１０が、絵画サイズと同等の表示サイズを決定し、スケーリング処理部１０５が、この表示サイズで絵画を表示するように表示部１０７に指示するようにしてもよい。絵画サイズと同等の表示サイズは、例えば絵画サイズと等しいサイズであってもよいし、絵画サイズから任意のサイズだけ大きいサイズであってもよい。この場合の推奨鑑賞距離の算出は、例えば以下のようにして行われる。鑑賞距離算出部１０８は、表示サイズ管理部１１０から上記絵画サイズと同等の表示サイズを取得する。鑑賞距離算出部１０８は、取得した表示サイズが有する横方向のサイズをＭＷ，縦方向のサイズをＭＨとし、上述した式１または式２を用いて、推奨鑑賞距離ＲＬを算出する。このように絵画サイズと同等の大きさの表示サイズを用いて算出される推奨鑑賞距離ＲＬは、最適鑑賞距離と等しくなる。
【００３８】
また、図５に示す例では、絵画サイズの縦横の比率と、画面サイズの縦横の比率が等しいが、比率が異なる場合には、例えば、表示サイズ管理部１１０が、縦方向または横方向に余白ができるような表示サイズを決定する。鑑賞距離算出部１０８は、この表示サイズが有する横方向のサイズをＭＷ，縦方向のサイズをＭＨとし、上述した式１または式２を用いて、推奨鑑賞距離ＲＬを算出する。なお、ユーザが、表示サイズを設定し、鑑賞距離算出部１０８が、上記設定された表示サイズを用いて推奨鑑賞距離ＲＬを算出するようにしてもよい。また、ユーザが、絵画サイズまたは最適鑑賞距離を設定し、鑑賞距離算出部１０８が、上記設定された絵画サイズまたは最適鑑賞距離を用いて推奨鑑賞距離ＲＬを算出するようにしてもよい。
【００３９】
また、絵画データに最適鑑賞距離が複数付加されている場合に、鑑賞距離算出部１０８が、当該絵画データに付加されている複数の最適鑑賞距離を用いて複数の推奨鑑賞距離を算出するようにしてもよい。
【００４０】
図４に戻って、鑑賞距離通知部１０９が、ステップＳ５において算出された推奨鑑賞距離をユーザに通知する（ステップＳ６）。鑑賞距離算出部１０８が、複数の推奨鑑賞距離を算出した場合に、鑑賞距離通知部１０９が、算出された複数の推奨鑑賞距離または当該複数の推奨鑑賞距離から選択した推奨鑑賞距離をユーザに通知するようにしてもよい。そして、表示制御部１０２が、表示する絵画が切り換わるかを判断する（ステップＳ７）。表示する絵画が切り替わる場合は、ステップＳ３に戻る。表示する絵画が切り換わらない場合は、ステップＳ８に進む。
【００４１】
ステップＳ８において、表示制御部１０２が、絵画の表示処理を終了するかを判断する（ステップＳ８）。表示制御部１０２が、絵画の表示処理を終了しないと判断した場合は、ステップＳ７に進む。表示制御部１０２が、絵画の表示処理を終了すると判断した場合は、処理を終了する。
【００４２】
実施例１の表示制御装置は、絵画サイズと最適鑑賞距離の関係と、画面サイズと推奨鑑賞距離の関係とが同等になるような推奨鑑賞距離を算出し、ユーザに通知する。従って、実施例１の表示制御装置によれば、鑑賞者が表示装置上に表示された絵画を鑑賞する場合に、実物の絵画を絵画固有の最適鑑賞距離から鑑賞した場合に近い見え方で鑑賞することが可能となる。
【００４３】
図６は、実施例２の表示制御装置の構成を示す図である。表示制御装置３０１は、表示制御部１０２、絵画データ取り込み部１０３、絵画データ管理部１０４、スケーリング処理部１０５、表示部１０７、入力部１１２、鑑賞距離記憶部１１３、表示サイズ管理部１１４を備える。表示制御装置３０１が備える処理部のうち、図１（Ａ）に示す表示制御装置１０１が備える処理部と同じ符号が付けられたものは、表示制御装置１０１が備える処理部と同様である。
【００４４】
本実施例では、ユーザが、絵画鑑賞を行うための表示装置１１１を設置する際に、設置する部屋の大きさや障害物等を考慮して、予め、絵画を鑑賞する鑑賞者の立ち位置を決定しているものとする。ユーザは、表示装置１１１と鑑賞者との間の距離を鑑賞距離として入力する操作を行う。入力部１１２は、鑑賞距離入力手段として機能し、ユーザの操作に従って、鑑賞距離を入力する。鑑賞距離記憶部１１３は、入力部１１２が入力した鑑賞距離を記憶する。
【００４５】
表示サイズ管理部１１４は、表示制御部１０２の制御に従って、スケーリング処理部１０５から表示対象の絵画の絵画ＩＤを取得する。表示サイズ管理部１１４は、絵画データ管理部１０４から、上記絵画ＩＤに対応する絵画サイズと最適鑑賞距離とを取得する。また、表示サイズ管理部１１４は、鑑賞距離記憶部１１３から鑑賞距離を取得する。
【００４６】
表示サイズ管理部１１４は、絵画データ管理部１０４から取得した絵画サイズと最適鑑賞距離と、鑑賞距離記憶部１１３から取得した鑑賞距離とに基づいて、表示装置１１１が表示する絵画の表示サイズを算出する表示サイズ算出手段として機能する。具体的には、表示サイズ管理部１１４は、絵画サイズと最適鑑賞距離との関係が、鑑賞距離と表示サイズとの関係に等しくなる表示サイズを算出する。表示サイズ管理部１１４は、算出した表示サイズをスケーリング処理部１０５に通知する。
【００４７】
スケーリング処理部１０５は、絵画データ管理部１０４から表示対象の絵画の描画データを取得する。スケーリング処理部１０５は、表示サイズ管理部１１４から通知された表示サイズになるように、上記取得した描画データのスケーリングを行い、表示部１０７を介して、表示装置１１１に絵画を表示する。
【００４８】
以下に、表示サイズ管理部１１４による表示サイズの算出例について説明する。この例において、横方向の表示サイズをＭＷ、縦方向の表示サイズをＭＨと記述する。また、横方向の絵画サイズをＰＷ、縦方向の絵画サイズをＰＨと記述する。また、最適鑑賞距離をＢＬと記述する。また、表示サイズ管理部１１４が鑑賞距離記憶部１１３から取得する鑑賞距離をＷＬとも記述する。
【００４９】
表示サイズ管理部１１４は、絵画サイズと最適鑑賞距離の関係（比率）と、表示サイズと鑑賞距離の関係とが同等になるような表示サイズを算出する。具体的には、表示サイズ管理部１１４は、以下の式３に基づいて、ＭＷを算出する。
ＰＷ：ＢＬ＝ＭＷ：ＷＬ
ＭＷ＝（ＷＬ／ＢＬ）×ＰＷ・・・式３
【００５０】
また、表示サイズ管理部１１４は、以下の式４に基づいて、ＭＨを算出する。
ＰＨ：ＢＬ＝ＭＨ：ＷＬ
ＭＨ＝（ＷＬ／ＢＬ）×ＰＨ・・・式４
【００５１】
図７は、実施例２における鑑賞距離の具体的算出例を示す図である。図７（Ａ）は、絵画Ａと最適鑑賞距離との関係の例を示す。取得された絵画ＡのＰＷ＝３００（ｃｍ），ＰＨ＝２００（ｃｍ）である。また、取得された絵画Ａの最適鑑賞距離：ＢＬ＝４００（ｃｍ）である。ここで、表示サイズ管理部１１４が鑑賞距離記憶部１１３から取得した鑑賞距離：ＷＬ＝１００（ｃｍ）とする。
【００５２】
表示サイズ管理部１１４は、上述した式３に基づいて、以下のように横方向の表示サイズＭＷを算出する。
ＭＷ＝（１００／４００）×３００＝７５（ｃｍ）
【００５３】
また、表示サイズ管理部１１４は、上述した式４に基づいて、以下のように縦方向の表示サイズＭＨを算出する。
ＭＨ＝（１００／４００）×２００＝５０（ｃｍ）
【００５４】
図７（Ｂ）は、鑑賞距離と算出された表示サイズとの関係の例を示す。図７（Ａ）を参照して説明したように、表示サイズ管理部１１４は、絵画Ａの表示サイズとして、ＭＷ＝７５（ｃｍ）とＭＨ＝５０（ｃｍ）を算出する。表示装置１１１は、算出された表示サイズで絵画Ａを表示する。
【００５５】
なお、表示サイズ管理部１１４が算出した表示サイズが、表示装置１１１の表示可能サイズよりも大きくなった場合は、表示サイズ管理部１１４が、ユーザにその旨を通知するようにしてもよい。また、この場合には、表示サイズ管理部１１４が、スケーリング処理部１０５に指示して、表示可能サイズで画像が表示されるように制御してもよい。また、表示装置１１１としてプロジェクタを用いる場合は、スケーリング処理部１０５の代わりに、表示装置１１１が備える所定の処理部が、プロジェクタレンズのズーム倍率の制御を行うことで、表示サイズを制御するようにしてもよい。
【００５６】
実施例２の表示制御装置は、絵画サイズと最適鑑賞距離の関係と、表示サイズと鑑賞距離の関係とが同等になるような表示サイズを算出し、算出した表示サイズで表示装置に絵画を表示する。従って、実施例２の表示制御装置によれば、鑑賞者が表示装置上に表示された絵画を鑑賞する場合に、実物の絵画を絵画固有の最適鑑賞距離から鑑賞した場合に近い見え方で鑑賞することが可能となる。
【００５７】
図８は、実施例３の表示制御装置の構成を示す図である。表示制御装置４０１は、表示制御部１０２、絵画データ取り込み部１０３、絵画データ管理部１０４、スケーリング処理部１０５、表示部１０７、表示サイズ管理部１１４、鑑賞距離検出部１１５を備える。表示制御装置４０１が備える処理部のうち、図６に示す表示制御装置３０１が備える処理部と同じ符号が付けられたものは、表示制御装置３０１が備える処理部と同様である。
【００５８】
鑑賞距離検出部１１５は、表示装置１１１と絵画を鑑賞する鑑賞者との間の距離を鑑賞距離として検出する鑑賞距離検出手段として機能する。鑑賞距離検出部１１５は、例えば、赤外線や超音波等の人感センサを用いて鑑賞距離を測定するが、これに限るものではない。鑑賞距離検出部１１５は、検出した鑑賞距離を表示サイズ管理部１１４に通知する。なお、鑑賞距離検出部１１５は、鑑賞距離を常に検出してもよいし、定期的に検出してもよい。
【００５９】
表示サイズ管理部１１４は、鑑賞距離検出部１１５から通知された鑑賞距離を用いて、絵画サイズと最適鑑賞距離の関係（比率）と、表示サイズと鑑賞距離の関係とが同等になるような表示サイズを算出する。表示サイズの算出方法は、実施例２における表示サイズの算出方法と同様である。
【００６０】
ここで、鑑賞距離の変化によって、表示サイズが次々と変わると、鑑賞者に不快感を与えることが考えられる。従って、表示サイズ管理部１１４が、鑑賞距離が所定値以上変化した場合のみ、もしくは算出した表示サイズが所定値以上変化した場合のみ、表示サイズの算出または変更を行うようにしてもよい。また、表示サイズ管理部１１４が、前回の表示サイズ変更から所定時間以上経過した場合のみ、表示サイズの算出または変更を行うようにしてもよい。
【００６１】
実施例３の表示制御装置によれば、鑑賞者の任意の立ち位置に応じて、当該鑑賞者に、実物の絵画を絵画固有の最適鑑賞距離から鑑賞した場合に近い見え方で、表示装置上に表示された絵画を鑑賞させることが可能となる。
【００６２】
図９は、実施例４の表示制御装置の構成を示す図である。表示制御装置５０１は、表示制御部１０２、絵画データ取り込み部１０３、絵画データ管理部１０４、スケーリング処理部１０５、画面サイズ取得部１０６を備える。また、表示制御装置１０１は、表示部１０７、鑑賞距離算出部１０８、鑑賞距離通知部１０９、表示サイズ管理部１１０を備える。また、表示制御装置１０１は、入力部１１６、可動範囲記憶部１１７、鑑賞位置判定部１１８を備える。表示制御装置５０１が備える処理部のうち、図１（Ａ）に示す表示制御装置１０１が備える処理部と同じ符号が付けられたものは、表示制御装置１０１が備える処理部と同様である。
【００６３】
入力部１１６は、ユーザの操作に従って、可動範囲を入力する。可動範囲は、鑑賞者が表示装置１１１に表示される絵画を鑑賞する際に動くことが可能な、表示装置前方の範囲である。本実施例では、入力部１１６は、当該表示装置前方の範囲における、最大の可動距離つまり最大の鑑賞距離を可動範囲として入力する。可動範囲記憶部１１７は、入力部１１６が入力した可動範囲を記憶して管理する。すなわち、可動範囲記憶部１１７は、鑑賞者の表示装置前方の可動範囲を管理する可動範囲管理手段として機能する。
【００６４】
本実施例においては、鑑賞距離算出部１０８は、実施例１と同様に、画面サイズを用いて、推奨鑑賞距離を算出する。鑑賞位置判定部１１８は、鑑賞距離算出部１０８から、鑑賞距離算出部１０８が算出した推奨鑑賞距離を取得する。また、鑑賞位置判定部１１８は、可動範囲記憶部１１７から可動範囲を取得する。そして、鑑賞位置判定部１１８は、推奨鑑賞距離が可動範囲内に入っているか、すなわち、推奨鑑賞距離が最大の鑑賞距離を超えていないかを判断する判断手段として機能する。
【００６５】
表示サイズ管理部１１０は、鑑賞位置判定部１１８が、推奨鑑賞距離が可動範囲内に入っていないと判断した場合に、以下の処理を実行する。表示サイズ管理部１１０は、可動範囲として入力されている最大の鑑賞距離を、鑑賞距離通知部１０９による通知対象の推奨鑑賞距離として決定する。鑑賞距離通知部１０９は、当該決定された通知対象の推奨鑑賞距離を通知する。
【００６６】
また、表示サイズ管理部１１０は、絵画データ管理部１０４から取得した絵画のサイズと最適鑑賞距離との関係が上記通知対象の推奨鑑賞距離と表示サイズとの関係に等しくなる表示サイズを算出する。そして、表示サイズ管理部１１０は、スケーリング処理部１０５、表示部１０７を通じて、表示装置１１１に絵画を上記算出された表示サイズで表示させる。
【００６７】
鑑賞位置判定部１１８が、推奨鑑賞距離が可動範囲内に入っていると判断した場合は、鑑賞距離算出部１０８が、推奨鑑賞距離を鑑賞距離通知部１０９に通知する。また、表示サイズ管理部１１０は、画面サイズを表示サイズとしてスケーリング処理部１０５に渡し、この表示サイズに描画データをスケーリングさせる。
【００６８】
図１０は、実施例４の表示制御装置の動作処理を説明するフローチャートの例である。まず、表示制御部１０２が、表示する絵画を選択して、鑑賞距離算出部１０８に通知する（ステップＳ１１）。
【００６９】
次に、鑑賞距離算出部１０８が、表示サイズ管理部１１０から表示装置１１１の画面サイズを取得する（ステップＳ１２）。続いて、鑑賞位置判定部１１８が、可動範囲記憶部１１７から可動範囲を取得する（ステップＳ１３）。
【００７０】
鑑賞距離算出部１０８は、表示制御部１０２が選択した絵画の絵画サイズを絵画データ管理部１０４から取得する（ステップＳ１４）。また、鑑賞距離算出部１０８が、表示制御部１０２が選択した絵画の最適鑑賞距離を絵画データ管理部１０４から取得する（ステップＳ１５）。
【００７１】
次に、鑑賞距離算出部１０８が、実施例１と同様に、絵画サイズと最適鑑賞距離と画面サイズとに基づいて、推奨鑑賞距離を算出する（ステップＳ１６）。ステップＳ１６において算出される絵画サイズは、表示サイズを画面サイズとした場合における推奨鑑賞距離である。次に、鑑賞位置判定部１１８が、ステップＳ１６において算出された推奨鑑賞距離が可動範囲内であるかを判断する（ステップＳ１７）。この例では、鑑賞位置判定部１１８は、推奨鑑賞距離が、可動範囲として入力されている最大の鑑賞距離を超えるかを判断する。推奨鑑賞距離が最大の鑑賞距離を超えない場合、鑑賞位置判定部１１８は、推奨鑑賞距離が可動範囲内であると判断する。推奨鑑賞距離が最大の鑑賞距離を超える場合、鑑賞位置判定部１１８は、推奨鑑賞距離が可動範囲内でないと判断する。
【００７２】
推奨鑑賞距離が可動範囲内である場合、表示装置１１１の画面サイズ（最大表示サイズ）で絵画を表示したときに、鑑賞者が推奨鑑賞距離から鑑賞することが可能である。従って、この場合には、表示サイズ管理部１１０が、ステップＳ１６において算出された推奨鑑賞距離を通知対象の推奨鑑賞距離として確定する（ステップＳ１８）。ステップＳ１８においては、さらに、表示サイズ管理部１１０が、画面サイズを表示サイズに確定する。
【００７３】
推奨鑑賞距離が可動範囲内でない場合、表示装置１１１の画面サイズ（最大表示サイズ）で絵画を表示したときに、鑑賞者が推奨鑑賞距離から鑑賞することが不可能である。つまり、表示装置１１１が絵画を最大表示サイズで表示した場合に、鑑賞者が当該推奨鑑賞距離に応じた位置から絵画を鑑賞しても、鑑賞者は、絵画データの制作者が意図する見え方で当該絵画を鑑賞することができない。
【００７４】
そこで、表示サイズ管理部１１０は、絵画データ管理部１０４から絵画サイズと最適鑑賞距離とを取得する。また、表示サイズ管理部１１０は、可動範囲として入力されている最大の鑑賞距離を通知対象の推奨鑑賞距離として決定する。そして、表示サイズ管理部１１０は、絵画データ管理部１０４から取得した絵画のサイズと最適鑑賞距離との関係が上記最大の鑑賞距離と表示サイズとの関係に等しくなる表示サイズを算出する（ステップＳ１９）。表示サイズ管理部１１０が、上記最大の鑑賞距離を通知対象の推奨鑑賞距離として確定する（ステップＳ２０）。ステップＳ２０においては、さらに、表示サイズ管理部１１０が、表示サイズを上記ステップＳ１９において算出した表示サイズに確定する。
【００７５】
次に、スケーリング処理部１０５が、表示制御部１０２が指定した絵画の描画データを絵画データ管理部１０４から取得する。そして、スケーリング処理部１０５が、ステップＳ１８またはステップＳ２０において確定された表示サイズに応じて、描画データのスケーリング処理を実行する（ステップＳ２１）。また、鑑賞距離通知部１０９が、ステップＳ１８またはステップＳ２０において確定された通知対象の推奨鑑賞距離をユーザに通知する（ステップＳ２２）。ステップＳ２３、Ｓ２４は、図４のステップＳ７、Ｓ８と同様である。
【００７６】
実施例４における推奨鑑賞距離の算出処理を、縦方向の画面サイズ：ＭＨ＝１００（ｃｍ）、横方向の画面サイズ：ＭＷ＝１５０（ｃｍ）として、図５（Ａ）に示す絵画Ａに適用した例について説明する。
【００７７】
図１０のステップＳ１６において、表示サイズ管理部１１０が、推奨鑑賞距離：ＲＬ＝（１００／２００）×４００＝２００（ｃｍ）を算出する。ここで、可動範囲として入力されている最大の鑑賞距離を１２０（ｃｍ）とすると、ステップＳ１７において、鑑賞位置判定部１１８が、推奨鑑賞距離が可動範囲内でないと判断する。従って、表示サイズ管理部１１０が、鑑賞距離ＷＬを最大の鑑賞距離（１２０（ｃｍ））とし、この鑑賞距離ＷＬを用いて表示サイズを算出する。具体的には、表示サイズ管理部１１０は、前述した式３を用いて、横方向の表示サイズＭＷを、以下のようにして算出する。
ＭＷ＝（１２０／４００）×３００＝９０（ｃｍ）
【００７８】
また、表示サイズ管理部１１０は、前述した式４を用いて、縦方向の表示サイズＭＨを、以下のようにして算出する。
ＭＨ＝（１２０／４００）×２００＝６０（ｃｍ）
【００７９】
実施例４の表示制御装置は、画面サイズに基づき算出した推奨鑑賞距離が可動範囲内にない場合に、絵画サイズと最適鑑賞距離の関係と表示サイズと最大の鑑賞距離の関係とが同等になるような表示サイズを算出し、算出した表示サイズで表示装置に絵画を表示する。また、実施例４の表示制御装置は、当該最大の鑑賞距離を推奨鑑賞距離としてユーザに通知する。従って、実施例４の表示制御装置によれば、鑑賞者が表示装置上に表示された絵画を鑑賞する場合に、実物の絵画を絵画固有の最適鑑賞距離から鑑賞した場合に近い見え方で鑑賞することが可能となる。
【００８０】
本実施例では、推奨鑑賞距離が可動範囲内でない場合に、可動範囲として入力された最大の鑑賞距離を用いて表示サイズを算出する例について説明した。本実施例の変形例として、入力部１１６が、可動範囲として、最大の鑑賞距離に加えて最小の鑑賞距離を予め設定してもよい。算出される推奨鑑賞距離が最小の鑑賞距離より小さい場合に、表示サイズ管理部１１０は、当該最小の鑑賞距離をＷＬとして表示サイズを算出する。また、鑑賞距離通知部１０９は、当該最小の鑑賞距離をユーザに通知する。
【００８１】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００８２】
１０１  表示制御装置
１０５  スケーリング処理部
１０８  鑑賞距離算出部
１０９  鑑賞距離通知部
１１０  表示サイズ管理部
【図１】
0005901122.tif 000002
【図２】
0005901122.tif 000003
【図３】
0005901122.tif 000004
【図４】
0005901122.tif 000005
【図５】
0005901122.tif 000006
【図６】
0005901122.tif 000007
【図７】
0005901122.tif 000008
【図８】
0005901122.tif 000009
【図９】
0005901122.tif 000010
【図１０】
0005901122.tif 000011